(57)【要約】【課題】伝票などをコンテナに収納できるようにする。【解決手段】コンテナ本体１に書類を収納することができる物品収納部４０ｂを備えたことを特徴とするコンテナ。【選択図】　　図２
2004059121.tif 000002
【特許請求の範囲】
【請求項１】
コンテナ本体に書類を収納することができる物品収納部を備えたことを特徴とするコンテナ。
【請求項２】
コンテナ本体に設けられた天蓋開閉装置を開閉するべく当該コンテナ本体に着脱自在に設けられた操作ハンドルを備えたコンテナにおいて、
取り外した操作ハンドルを収納することができる物品収納部を前記コンテナ本体に備えていることを特徴とするコンテナ。
【請求項３】
前記操作ハンドルは、前記コンテナ本体の側面の上下方向中途位置に設けられており、当該操作ハンドルから上方の前記天蓋開閉装置に対して天蓋開閉のための動力を伝達するための伝達機構を備え、
前記物品収納部は、前記伝達機構の下方に設けられていることを特徴とする請求項２記載のコンテナ。
【請求項４】
前記伝達機構を覆うべく前記コンテナ本体の側面においてコンテナ本体の上端から下方に向けて延設されたカバー部材を備え、
前記カバー部材は、伝達機構よりさらに下方にまで延設され、
前記物品収納部は、当該カバー部材によって覆われた内部空間であって前記伝達機構の下方に設けられていることを特徴とする請求項２又は３記載のコンテナ。
【請求項５】
前記カバー部材は、コンテナ本体の下端にまで延設されていることを特徴とする請求項４記載のコンテナ。
【発明の詳細な説明】
【０００１】
【発明の属する技術分野】
本発明は、コンテナに関するものである。
【０００２】
【従来の技術】
従来のコンテナは、コンテナ本体の上方開口部を覆う左右一対の天蓋を、前後一対のアームにて回動可能に連結してあり、コンテナの前壁パネルに設けた操作ハンドルを回転操作することにより、前壁パネルの内側に設けられたチェーンを介して左右のアームへ動力が伝達され、アームが側方へ回動することにより、左右の天蓋を開放するようになっている。
【０００３】
【発明が解決しようとする課題】
ところで、前記コンテナで産業廃棄物等を運搬する場合、産業廃棄物の内容、発生時期、搬送場所等を記載した伝票が使用される。この伝票は、コンテナを搬送する際には、コンテナと一緒に搬送先に送る必要がある。
ところが、従来、伝票は、コンテナ運搬車両の運転席（キャブ）に保管していた。したがって、伝票が増えると管理が煩雑となっていた。
また、前記操作ハンドルは、コンテナの前壁パネルに設けられた操作軸に着脱自在に取り付けられており、この操作ハンドルは安全性確保等のために不使用時には取り外される。
ところが、従来は、取り外した操作ハンドルも、コンテナ運搬車両の運転席（キャブ）に保管していた。しかし、キャブに操作ハンドルを保管すると、操作ハンドルを使用するたびにキャブへ操作ハンドルを取りに行く必要があり、作業効率が悪い。
【０００４】
本発明は、かかる事情に鑑みてなされたものであって、伝票等のコンテナに関連した書類や操作ハンドルの取扱いが容易となるコンテナを提供することを目的とする。
【０００５】
【課題を解決するための手段】
本発明は、コンテナ本体に書類を収納することができる物品収納部を備えたことを特徴とするコンテナである。コンテナ本体が物品収納部を備えることで、伝票などコンテナに関連した書類を当該コンテナに収納させることができ、伝票の管理が容易となる。
【０００６】
また、他の観点からみた本発明は、コンテナ本体に設けられた天蓋開閉装置を開閉するべく当該コンテナ本体に着脱自在に設けられた操作ハンドルを備えたコンテナにおいて、取り外した操作ハンドルを収納することができる物品収納部を前記コンテナ本体に備えていることを特徴とするコンテナである。この場合、物品収納部に操作ハンドルを収納することができるので、操作ハンドルの取扱いが容易となる。
【０００７】
なお、物品収納部は、コンテナ本体への装着時における操作ハンドルの位置の近傍であるのが好ましい。より具体的には、物品収納部は、操作ハンドルがコンテナ本体の側面（例えばコンテナ本体前壁）に配置されている場合、当該操作ハンドルが配置されている当該側面（コンテナ本体前壁）にあるのが好ましい。
【０００８】
また、前記操作ハンドルは、前記コンテナ本体の側面の上下方向中途位置に設けられており、当該操作ハンドルから上方の前記天蓋開閉装置に対して天蓋開閉のための動力を伝達するための伝達機構を備え、前記物品収納部は、前記伝達機構の下方に設けられているのが好ましい。操作ハンドルの上方に伝達機構が備わっている場合、当該伝達機構の下方空間にデッドスペースが生じるが、当該下方空間に物品収納部を設けることで、空間を有効活用することができる。
【０００９】
さらに、本発明では、前記伝達機構を覆うべく前記コンテナ本体の側面においてコンテナ本体の上端から下方に向けて延設されたカバー部材を備え、前記カバー部材は、伝達機構よりさらに下方にまで延設され、前記物品収納部は、当該カバー部材によって覆われた内部空間であって前記伝達機構の下方に設けられているのが好ましい。この場合、カバー部材を利用して操作ハンドルの近傍に物品収納スペースを形成することができ、構成が簡単であって部品点数を少なくすることができる。
【００１０】
そして、前記カバー部材は、コンテナ本体の下端にまで延設されているのが好ましく、この場合、カバー部材がコンテナ本体の上端から下端にまで延設されていることになり、カバー部材がコンテナ本体の補強部材としても機能する。
【００１１】
【発明の実施の形態】
以下、本発明の好ましい実施形態を図面に基づいて説明する。
図１〜図３に示すコンテナは、上方開口部８を有するコンテナ本体１と、開口部８を開閉しうる天蓋開閉装置９とを備えている。前記コンテナ本体１は、側面３，４，５及び底板６を有している。前記側面３，４，５は、前後左右に配置された支柱２間に設けられた前壁３，左右側壁４、及び後扉５とからなる。
【００１２】
前記天蓋開閉装置９は、前記開口部８に設けられた左右一対の天蓋１０を備えている。天蓋１０の内端部には前後方向に支持軸１１を挿通してあり、前記支持軸１１の前後両端部にはそれぞれアーム１２の先部を軸支してある。前記各アーム１２の基部１２は、天井フレーム７上面にブラケット１３を介して回転可能に軸支された回転軸１４に固定されている。
回転軸１４の回転によりアーム１２を回動させることにより、図３のように天蓋１０が開口部８を覆う閉鎖位置と、図４に示すように天蓋１０が側壁４の外側面に沿接する開放位置との間を移動するようになっている。
【０００１３】
なお、１９は側壁４の外面に固定されたクッションゴムで、図４に示す如く開放位置にて天蓋１０がクッションゴム１９に当接することにより天蓋１０の損傷を防止するようにしてある。また、２０は、一方の天蓋（図３左側）の内端部に固定されたシール部材で、閉鎖位置にて前記シール部材２０が他方の天蓋１０の内端部に当接することにより両天蓋１０が干渉するのを防止するようにしてある。
【００１４】
前記回転軸１４間には、回転軸１４とともに前後左右のアーム１２を同調して回動させる同調部２１が設けてある。前記同調部２１は、図１及び図５に示す如く各回転軸１４に第１スプロケット２２をそれぞれ固着し、左右の第１スプロケット２２間には無端状の第１チェーン２３を８の字状に掛け回してなり、左右の回転軸１４を同調して回転させるようになっている。また前後の天井フレーム７の一側（図１下側）にはブラケット２４を介して連結軸２５を回転可能に軸支してあり、前記連結軸２５の両端部に固着された第２スプロケット２６と、この各第２スプロケット２６に近接する回転軸１４に固着された第３スプロケット２７との間には無端状の第２チェーン２８を掛け回してあり、前後の回転軸１４を同調して回転させるようにしてある。
【００１５】
前記前壁３の外側には、同調回転する前後左右の回転軸１４を回転させるための操作ハンドル３１が設けられている。この操作ハンドル３１は、前壁３の上下方向中途位置に配置されており、操作ハンドル３１を回転操作することで、伝達機構３０を介して天蓋開閉装置９の一部を構成する回転軸１４に回転動力が伝達される。伝達機構３０は、操作ハンドル３１から上方の天蓋開閉装置９に対して天蓋開閉のための動力を伝達するためのものであり、回転可能に支持された操作軸３３と、操作軸３３に固着された下部スプロケット３４と、回転軸１４に固着された上部スプロケット３５及び下部スプロケット３４の間に掛け回された無端状の第３チェーン３６を備えている。
【００１６】
操作軸３３は、前壁３の内側から外側に延設されており、前記操作ハンドル３１は外側に延設された操作軸３３に対して着脱自在に設けられている。下部スプロケット３４及び第３チェーン３６は、コンテナ本体の側面である前壁３の内側に配置されている。前壁３の内側には、伝動機構３０を構成する下部スプロケット３４及び第３チェーン３６を覆うためのカバー部材３８が設けられている。
このカバー部材３８は、後板３８ａ及び左右側板３８ｂ，３８ｃを備えてチャンネル状に形成されており、当該カバー部材３８と前壁３とで内部空間を形成し、当該内部空間に伝達機構３０を収納している。
【００１７】
このカバー部材３８は、左右側板３８ｂ，３８ｃが溶接等によって前壁３の内側面に対して取り付けられているとともに、下端が底板６に取り付けられ、上端が天井フレーム７に取り付けられている。カバー部材３８が前壁３の上下全域に延設されていることで、カバー部材３８が前壁３の補強部材を兼ねることになる。また、カバー部材３８には、その上下方向中途部にカバー部材内部空間内部を上下方向に仕切る仕切板３８ｄが設けられている。なお、仕切板３８ｄの上面には前記操作軸３３を回転自在に支持するためのブラケット３９が設けられている。
【００１８】
前壁３の内側面の他の箇所には、カバー部材でない補強部材３９，３９も設けられており、これらの補強部材３９，３９とカバー部材３８とで前壁３を補強している。本実施形態では、カバー部材３８が補強部材を兼ねているので、カバー部材３８の近傍に別途補強部材を設ける必要がなく、部品点数を少なくでき、構成を簡素にすることができる。
【００１９】
前記伝動機構３０は、カバー部材３８で囲まれた空間のうち仕切板３８ｄより上方の空間４０ａに配置されており、仕切板３８ｄの下方空間４０ｂは伝動機構３０が非配置であって物品収納部とされている。前壁３には当該下方空間（物品収納部）４０ｂに通ずる開口部４１が形成されており、この開口部４１から物品収納部４０ｂ内へ物品を出入れすることができるようになっている。このように、カバー部材３８で囲まれた空間のうち、仕切体３８ａより下側を物品収納部として有効利用することで、物品を収納するためのスペースを別途設けることなく確保でき、部品点数を少なくすることができる。
【００２０】
前壁３には、前記開口部４１を開閉可能な蓋体４３が設けられている。この蓋体４３は、上端が水平方向の軸心を有するヒンジ４４によって前壁３の外側に取り付けられており、図６に示すように、蓋体４３の下端を持ち上げることで開口部４１を開くことができる。
【００２１】
物品収納部４０ｂには、必要に応じて様々な物品を格納することができるが、ここでは操作ハンドル３１を入れるための操作ハンドル収納部４５が隔壁４６によって形成されている。したがって、操作ハンドル３１不使用時には当該操作ハンドル３１を操作ハンドル収納部４５に入れて保管することができる。本実施形態では、物品収納部４０ｂが操作ハンドル３１の取付け位置（操作軸３３の位置）に近いので、当該物品収納部４０ｂに操作ハンドル３１を保管することで、操作ハンドル３１の取出・収納時の作業効率が良い。
また、物品収納部４０ｂにはコンテナの搬送物・搬送場所等を記載した伝票等の書類を収納するための書類収納部４８が設けられている。なお、書類収納部４８は筒状部材によって形成されている。ここで、コンテナによって産業廃棄物を運搬する際には、産業廃棄物管理票（マニフェスト）を書類収納部４８に収納することができる。従来は、伝票などのコンテナに関連する書類もキャブに保管しており伝票が増えると管理が煩雑となっていたが、本実施形態では、伝票をコンテナの書類収納部４８に収納できるので管理が容易となる。
【００２２】
図６及び図７に示すように、蓋体４３が振動等によって不意に開かないように開き防止具が備わっており、開き防止具は、蓋体４３に設けられた舌片４９と、蓋体４３の閉鎖時に当該舌片４９と当接するように前壁３に設けられた当接片５０と、舌片４９及び当接片５０に形成された挿通孔４９ａ，５０ａに挿通される挿通ピン５１とからなる。なお、挿通ピン５１は、チェーン５２を介して当接片５０に取り付けられている。
【００２３】
図７に示すように、蓋体４３の状態で挿通孔４９ａ，５０ａに挿通ピン５１を通すことで、振動等によって不意に蓋体４３が開くことが防止される。また、挿通ピン５１を抜き取ることで蓋体４３が開閉自在となる。
【００２４】
なお、本発明は、上記実施形態に限定されるものではない。例えば、天蓋は左右両開き式に限らず、片開き式であってもよい。また、物品収納部４０ｂをカバー部材で形成する必要はなく、カバー部材とは別部材で物品収納部４０ｂを形成してもよい。さらに、物品収納部４０ｂは伝達機構の下方に限らず、コンテナ本体１の他の位置に設けても良い。
【００２５】
【発明の効果】
本発明によると、コンテナ本体に物品収納部が設けられているので、書類や操作ハンドルを収納することができる。
【図面の簡単な説明】
【図１】コンテナの平面図である。
【図２】コンテナの側面図である。
【図３】コンテナの正面図である。
【図４】天蓋開閉状態を示す図である。
【図５】同調部の構成図である。
【図６】物品格納スペースの斜視図である。
【図７】蓋体の開き防止具の側面図である。
【符号の説明】
１　コンテナ本体
３　前壁（側面）
８　上方開口部
９　天蓋開閉装置
１０　天蓋
３０　伝達機構
３１　操作ハンドル
３８　カバー部材
４０ｂ　物品収納部
【図１】
2004059121.tif 000003
【図２】
2004059121.tif 000004
【図３】
2004059121.tif 000005
【図４】
2004059121.tif 000006
【図５】
2004059121.tif 000007
【図６】
2004059121.tif 000008
【図７】
2004059121.tif 000009